(57)【要約】【課題】ラッチの係合保持力の調節の状態を容易に把握することができる調節機構を備えた防火戸用自動閉鎖装置を提供する。【解決手段】保持力調節機構部８が、スプリング８ｃと、調節ネジ８ｄとを含み、調節ネジ８ｄを回動させてスプリング８ｃの弾力を変化させることで、ラッチ３の係合保持力を調節するものであり、また、保持力調節機構部８が、調節ネジ８ｄの頭部外周壁面にその周方向に所定の間隔で複数形成された凹凸部８ｆに当接する弾性を有する当接部材８ｇをさらに含むことを特徴とする。【選択図】図１
2012087573.tif 000002
【特許請求の範囲】
【請求項１】
防火戸の係合部材と係合する係合部を有するラッチを含むラッチ機構部と、該ラッチ機構部と協働し、該ラッチの係合部と該防火戸の係合部材との係合を保持するラッチ固定機構部と、該ラッチの係合部と該防火戸の係合部材との係合の保持状態を手動で解除する際の該ラッチの係合保持力を調節する保持力調節機構部とを備えた防火戸用自動閉鎖装置であって、
該保持力調節機構部が、スプリングと、調節ネジとを含み、該調節ネジを回動させて該スプリングの弾力を変化させることで、該ラッチの係合保持力を調節するものであり、また、該保持力調節機構部が、該調節ネジの頭部外周壁面にその周方向に所定の間隔で複数形成された凹凸部に当接する弾性を有する当接部材をさらに含むことを特徴とする防火戸用自動閉鎖装置である。
【請求項２】
該当接部材が面接触で該凹凸部の凹面に当接する当接面を有し、該当接面が該凹面と対応する面形状のものであることを特徴とする請求項１に記載の防火戸用自動閉鎖装置。
【請求項３】
該当接面が湾曲面であることを特徴とする請求項１又は２に記載の防火戸用自動閉鎖装置。
【発明の詳細な説明】
【技術分野】
【０００１】
この発明は、常時は防火戸を開放状態に保持し、火災発生時等は防火戸を自動的に閉鎖させる防火戸用自動閉鎖装置に関する。
【背景技術】
【０００２】
防火戸用自動閉鎖装置は、一般に、防火戸の係合部材と係合する係合部を有するラッチを備えており、常時は、ラッチの係合部と防火戸の係合部材との係合を保持して、防火戸を開放状態に保持し、火災発生時は、ソレノイド等の起動手段の動作に連動して、ラッチの係合部と防火戸の係合部材との係合の保持状態を解除し、防火戸をその自重により自動的に閉鎖させることができるようになっている。
【０００３】
この種の自動閉鎖装置は、自動的に防火戸を閉鎖させることができない場合に備え、防火戸を閉鎖方向に引っ張ることで、ラッチの係合の保持状態を解除することができるようにもなっており、即ち、手動で防火戸を閉鎖させることができるようにもなっており、そして、その手動でラッチの係合の保持状態を解除するのに要する力、即ち、ラッチの係合保持力を必要に応じて調節することができるようになっており、そのための調節機構を備えているものとなっている。
【０００４】
従来の自動閉鎖装置におけるラッチの係合保持力の調節機構は、その調節用のネジを回動させて、ラッチの係合部の解除方向への移動に対抗する力として作用するスプリングの弾力を変化させ、それによりラッチの係合保持力を調節するものとなっている（例えば、特許文献１参照）。
【先行技術文献】
【特許文献】
【０００５】
【特許文献１】特公平３−１９３５０号公報
【発明の概要】
【発明が解決しようとする課題】
【０００６】
従来の自動閉鎖装置におけるラッチの係合保持力の調節機構は、前記のように、調節に際し、ネジを回動させるものであるが、そのネジは自動閉鎖装置のケース内に収納されており、ネジの回動の様子を目視することができず、即ち、係合保持力の調節の状態を把握するのが困難であった。
【０００７】
この発明は、前記の事情に鑑み、ラッチの係合保持力の調節の状態を容易に把握することができる調節機構を備えた防火戸用自動閉鎖装置を提供することを目的とする。
【課題を解決するための手段】
【０００８】
この発明は、防火戸の係合部材と係合する係合部を有するラッチを含むラッチ機構部と、該ラッチ機構部と協働し、該ラッチの係合部と該防火戸の係合部材との係合を保持するラッチ固定機構部と、該ラッチの係合部と該防火戸の係合部材との係合の保持状態を手動で解除する際の該ラッチの係合保持力を調節する保持力調節機構部とを備えた防火戸用自動閉鎖装置であって、該保持力調節機構部が、スプリングと、調節ネジとを含み、該調節ネジを回動させて該スプリングの弾力を変化させることで、該ラッチの係合保持力を調節するものであり、また、該保持力調節機構部が、該調節ネジの頭部外周壁面にその周方向に所定の間隔で複数形成された凹凸部に当接する弾性を有する当接部材をさらに含むことを特徴とする防火戸用自動閉鎖装置である。
【０００９】
また、この発明は、該当接部材が面接触で該凹凸部の凹面に当接する当接面を有し、該当接面が該凹面と対応する面形状のものであることを特徴とする防火戸用自動閉鎖装置である。
【００１０】
また、この発明は、該当接面が湾曲面であることを特徴とする防火戸用自動閉鎖装置である。
【発明の効果】
【００１１】
この発明によれば、保持力調節機構部の調節ネジを回動操作する際、操作者は、当接部材が調節ネジ頭部の凹凸部に当接することによるクリック感を感じ、その数をカウントすることにより、調節ネジの回動の状態を用意に把握することができる。
【００１２】
従って、この発明によれば、ラッチの係合保持力の調節の状態を容易に把握することができる調節機構を備えた防火戸用自動閉鎖装置を提供することができる。
【図面の簡単な説明】
【００１３】
【図１】この発明の防火戸用自動閉鎖装置の実施形態の一例を示し、（ａ）及び（ｂ）何れもケース上側を外した状態のものであり、（ａ）が平面図、（ｂ）が正面図である。
【図２】図１（ｂ）の要部拡大図である。
【図３】同上を示し、（ａ）乃至（ｃ）何れもケース上側と中間シャーシを外した状態における平面図であり、自動でラッチ機構部を係合保持状態からそれを解除して防火戸のフックを解放する場合の変化の様子を示したものであり、（ａ）がラッチ機構部が係合保持状態にあるときのもの、（ｂ）がソレノイドの起動によりラッチ機構部の係合保持状態が解除されようとしているときのもの、（ｃ）がラッチ機構部の係合保持状態が解除され、ラッチ機構部から防火戸のフックが解放されたときのものである。
【図４】同上を示し、（ａ）乃至（ｄ）何れもケース上側と中間シャーシを外した状態における平面図であり、手動でラッチ機構部を係合保持状態からそれを解除して防火戸のフックを解放する場合の変化の様子を示したものであり、（ａ）がラッチ機構部が係合保持状態にあるときのもの、（ｂ）がラッチ機構部の手動解除用のレバーがラッチ固定機構部の手動解除用のトリガレバーに当接されたときのもの、（ｃ）及び（ｄ）がラッチ機構部の手動解除用のレバーがラッチ固定機構部の手動解除用のトリガレバーを押動し、ラッチ固定機構部が解除状態に変化し、ラッチ機構部の係合保持状態が解除され、ラッチ機構部から防火戸のフックが解放されたときのものである。
【発明を実施するための形態】
【００１４】
この発明の防火戸用自動閉鎖装置の一実施形態を図１乃至４に基づき説明する。
【００１５】
防火戸用自動閉鎖装置１は、ケース２内にラッチ機構部３、ラッチ固定機構部４、ソレノイド５、ラッチ解除機構部６、中間シャーシ７、保持力調節機構部８等を備えている。防火戸用自動閉鎖装置１において、ケース２は上下に２分割されている。このケース２には、図示しない防火戸の係合部材、例えばフックＨを出入りさせるための開口部２ａが形成されている。また、ケース２内においては、中間シャーシ７を境に上下に２分割されており、中間シャーシ７の下側にラッチ機構部３、ラッチ固定機構部４、ラッチ解除機構部６等が位置し、中間シャーシ７の上側にソレノイド５、保持力調節機構部８等が位置する配置構造となっている。
【００１６】
防火戸用自動閉鎖装置１は、常時は、開口部２ａ内に位置する防火戸のフックＨとのラッチ機構部３による係合を保持し、防火戸を開放状態に保持することができるものとなっており、火災時は、火災信号によるソレノイド５の起動に基づいて自動で、或いは、防火戸を閉鎖方向に引っ張って手動で、防火戸のフックＨとのラッチ機構部３による係合の保持状態を解除し、フックＨをラッチ機構部３から解放させて、防火戸を閉鎖させることができるものとなっている。
【００１７】
この防火戸用自動閉鎖装置１は、手動で防火戸のフックＨとのラッチ機構部３による係合の保持状態を解除する際のその解除に要する力、即ちラッチ機構部３の係合保持力を保持力調節機構部８により調節することができるようになっている。
【００１８】
保持力調節機構部８は、ラッチ機構部３の係合部３ｅを有するラッチプレート３ａと一体の移動側調節片８ａと、ラッチ機構部３の係止プレート３ｂと一体の固定側調節片８ｂと、両調節片８ａ、８ｂを常時密着方向に付勢するコイルスプリング８ｃと、コイルスプリング８ｃを伸縮させ、その密着方向への付勢力を調節するネジ８ｄによる伸縮機構等からなり、手動で係合保持状態を解除する際、係合部３ｅを有するラッチプレート３ａと共に移動側調節片８ａが、コイルスプリング８ｃによって固定側調節片８ｂとの間８ｅに作用する密着方向への付勢力に打ち勝って、固定側調節片８ｂから離間することになるが（図４ａ乃至ｄ）、その離間させるのに要する力、つまりは手動で係合保持状態を解除するのに要する力を、この保持力調節機構部８によって、移動側調節片８ａと固定側調節片８ｂとの間８ｅに作用するコイルスプリング８ｃによる密着方向への付勢力をネジ８ｄを回動させて調節することができるようになっている。
【００１９】
そして、保持力調節機構部８は、例えば弾性を有する板バネから形成されて、ネジ８ｄの頭部外周壁面にその周方向に所定の間隔で複数形成された凹凸部８ｆに当接する当接部材８ｇをさらに含むものとなっている。なお、この当接部材８ｇは移動側調節片８ａにネジ８ｉにより固定されたものとなっている。
【００２０】
ここで、保持力調節機構部８は、当接部材８ｇを含んでいることで、そのネジ８ｄを所定の角度だけ回動させれば、当接部材８ｇがネジ８ｄ頭部の凹凸部８ｆに当接することによるクリック感を操作者に与えるものとなっており、操作者は、そのクリック感をカウントすることにより、ネジ８ｄの回動の状態を容易に把握することができるものとなっている。
【００２１】
従って、防火戸用自動閉鎖装置１は、ラッチ機構部３の係合保持力の調節の状態を容易に把握することができるものとなっている。
【００２２】
なお、本実施の形態において、当接部材８ｇに当接する凹凸部８ｆとして、ネジ８ｄ頭部の外周壁面にその周方向に所定の間隔で複数形成され、ネジ８ｄの長さ方向に沿って延在する凹凸条を有するものとなっている。さらに、本実施形態において、当接部材８ｇは、当接面８ｈで面接触によりネジ８ｄ頭部の凹凸部８ｆの凹面に当接するものとなっており、且つその当接面８ｈがその凹面と対応する面形状、具体的には湾曲面をなすものとなっている。即ち、保持力調節機構部８の当接部材８ｇは、ネジ８ｄの緩み止めの機能を果たすものとなっており、又、当接面８ｈが湾曲面であることで、ネジ８ｄの緩み止めの機能を果たすものでありながら、ネジ８ｄの回動の妨げにはならないようになっている。なお、凹凸部８ｆの大きさや数は適宜に設定される。
【００２３】
最後に、ラッチ機構部３を係合保持状態からそれを解除して防火戸のフックを解放させる際の各構成の動作について、係合保持状態の解除を自動によりする場合と手動によりする場合とに分けて説明する。
【００２４】
[自動解除]
図３（ａ）乃至（ｃ）は、自動でラッチ機構部３を係合保持状態からそれを解除して防火戸のフックを解放する場合の各構成の変化の様子を示したものである。図３（ａ）に示すように、ラッチ機構部３が係合保持状態にあるとき、ラッチプレート３ａはその係合部３ｅが防火戸のフックＨと係合する位置（Ｐ１）にあるが、その状態が、係止プレート３ｂの係合凸部３ｆとラッチアーム３ｄの係合凹部３ｇとが係合し、ラッチアーム３ｄが連結されるトグルリンク機構４ａが伸長状態にあることで保持されている。ソレノイド５が起動すると、プランジャ５ａが図３（ａ）の伸長状態から縮長状態に変化するのに連動して、ラッチ解除機構部６が動作し、トグルリンク機構４ａのトリガピン４ｆを矢印Ａ１方向に移動させる。即ち、ソレノイド５が起動すると、図３（ｂ）及び（ｃ）に連続して示すように、トリガピン４ｆの矢印Ａ１方向への移動によって、トグルリンク機構４が伸長状態から屈折状態へと変化すると共に、ラッチアーム３ｄがその係合凹部３ｇが係止プレート３ｂの係合凸部３ｆと係合しない位置（図面上の上方）へと回動し、その係合が外れることで係合保持状態が解除され、図示しないスプリングの付勢力によりラッチプレート３ａが係止プレート３ｂ及び解除レバー付プレート３ｃと共に解放方向（図面上の時計回り）へと回動して、その係合部３ｅが防火戸のフックＨを解放させる位置（Ｐ２）に至り、防火戸のフックＨがラッチ機構部３から解放されることとなる。
【００２５】
[手動解除]
図４（ａ）乃至（ｄ）は、手動でラッチ機構部３を係合保持状態からそれを解除して防火戸のフックＨを解放する場合の各構成の変化の様子を示したものである。図４（ａ）に示すように、ラッチ機構部３が係合保持状態にあるとき、各構成は自動解除における場合と同様の状態にある。手動でラッチ機構部３の係合保持状態を解除するには、防火戸を引っ張って、そのフックＨによりラッチプレート３ａを係合部３ｅを介して解放方向（図面上の時計回り）へと引っ張ることになるが、そのようにすると、図４（ｂ）乃至（ｄ）に連続して示すように、ラッチプレート３ａが解除レバー付プレート３ｃと共に解放方向（図面上の時計回り）へと回動して、手動解除プレート３ｃの解除レバー３ｉがトグルリンク機構４のトリガレバー４ｇを押動し、それによりトグルリンク機構４を伸長状態から屈折状態へと変化させ、後は自動解除における場合と同様の変化を経て、係合部３ｅが防火戸のフックＨを解放させる位置（Ｐ２）に至り、防火戸のフックＨがラッチ機構部３から解放されることとなる。
【符号の説明】
【００２６】
１：防火戸用自動閉鎖装置  ２：ケース  ３：ラッチ機構部
３ａ：ラッチプレート  ３ｂ：係止プレート  ３ｃ：解除レバー付プレート
３ｄ：ラッチアーム  ３ｅ：係合部  ３ｆ：係合凸部  ３ｇ：係合凹部
３ｉ：解除レバー  ４：ラッチ固定機構部  ４ａ：トグルリンク機構
４ｆ：トリガピン  ４ｇ：トリガレバー  ５：ソレノイド
５ａ：プランジャ  ６：ラッチ解除機構部  ７：中間シャーシ
８：保持力調節機構部  ８ａ：移動側調節片  ８ｂ：固定側調節片
８ｃ：スプリング  ８ｄ：ネジ  ８ｅ：間  ８ｆ:凹凸部  ８ｇ：当接部材
８ｈ：当接面  ８ｉ：ネジ
【図１】
2012087573.tif 000003
【図２】
2012087573.tif 000004
【図３】
2012087573.tif 000005
【図４】
2012087573.tif 000006